(57)【要約】【課題】シャワー水が放出される方向を調整するには、散水板には傾斜が必要となり、散水板に傾斜を形成するには、プレス加工の工程を経る必要がある。【解決手段】液体が流れる流路に設けられる板状の散水板であって、散水板は、流入面と、流出面と、散水孔３０と、を有する。流入面は液体が流入する面である。流出面は、液体を流出させる面である。散水孔は流出面から流入面へと貫通するように開口される。散水孔は、流入部３１と、流出部３２とを有し、流入部は、流入面側の開口部である。流出部は、流出面側の開口部である。流入部の開口面積は、流出部の開口面積よりも大きく形成され、流入部の開口形状は、流入部に外接する仮想的な矩形形状を構成し、互いに隣接する辺の長さがそれぞれ異なる不均一形状を有し、流入部の重心位置と、流出部の重心位置とが、散水板に対して異なる位置となる。【選択図】図２
2019093362.tif 000002
【特許請求の範囲】
【請求項１】
液体が流れる流路に設けられる板状の散水板（１０）であって、
前記散水板は、
前記液体が流入する面である流入面（２１）と、
前記液体を流出させる面である流出面（２２）と
前記流出面から前記流入面へと貫通するように開口された散水孔（３０，５０，６０，７０，８０）と、
を有し、
前記散水孔は、
前記流入面側の開口部である流入部（３１，５１，６１，７１，８１）と、
前記流出面側の開口部である流出部（３２，５２，６２，７２，８２）と、
を有し、
前記流入部の開口面積は、前記流出部の開口面積よりも大きく形成され、
前記流入部の開口形状は、前記流入部に外接する仮想的な矩形形状を構成し、互いに隣接する辺の長さがそれぞれ異なる不均一形状を有し、
前記流入部の重心位置と、前記流出部の重心位置とが、前記散水板に対して異なる位置となる、散水板。
【請求項２】
請求項１に記載の散水板であって、
前記流入部の前記不均一形状は楕円形状である、散水板。
【請求項３】
請求項１に記載の散水板であって、
前記流入部の前記不均一形状は長方形状である、散水板。
【請求項４】
請求項１に記載の散水板であって、
前記流入部の前記不均一形状は、弓形状（３１ｂ）及び当該弓形状の直線部分と三角形状（３１ａ）の一辺とが当接するような形状に形成された、散水板。
【請求項５】
請求項１から請求項４までのいずれか１項に記載の散水板であって、
前記流出面は平面形状を有する、散水板。
【請求項６】
請求項１から請求項４までのいずれか１項に記載の散水板であって、
前記流出面は曲面形状を有する、散水板。
【請求項７】
請求項１から請求項６までのいずれか１項に記載の散水板であって、
前記散水板の外形は円形形状に形成される、散水板。
【請求項８】
請求項７に記載の散水板であって、
前記流入部の前記不均一形状は、
当該不均一形状の開口幅が最も広くなっている方向を長手方向として
前記散水板の中心を散水板中心として、
前記長手方向は、前記散水板中心を向くように構成された、散水板。
【請求項９】
請求項７に記載の散水板であって、
前記流入部の前記不均一形状は、
当該不均一形状の開口幅が最も広くなっている方向を長手方向とし、
前記散水板の中心を散水板中心として、
前記散水板中心を中心とする同心円状に複数の互いに半径の異なる仮想円を設定し、
前記長手方向は、前記仮想円の接線方向に沿った方向を向くように構成された、散水板。
【請求項１０】
請求項７に記載の散水板であって、
前記流入部の不均一形状は、
当該不均一形状の開口幅が最も広くなっている方向を長手方向とし
前記散水板の中心を散水板中心として、
前記散水板中心を中心とする同心円状に複数の互いに半径の異なる仮想円を設定し、
前記長手方向は、前記仮想円の接線方向に対して、あらかじめ決められた角度であるずれ角度だけずれた方向を向くように構成された、散水板。
【請求項１１】
請求項１０に記載の散水板であって、
前記ずれ角度は、前記散水板中心に近いほど大きくなるように構成された、散水板。
【請求項１２】
請求項１０に記載の散水板であって、
前記ずれ角度は、前記散水板中心に近いほど小さくなるように構成された、散水板。
【請求項１３】
請求項７に記載の散水板であって、
前記流出面の中心から遠い側を流出面外側として、
前記流入部の開口形状の重心位置が前記流出部の開口形状の重心位置に対して前記流出面外側に、前記長手方向にずれた位置である、散水板。
【請求項１４】
請求項７に記載の散水板であって、
前記流出面の中心に近い側を流出面内側として、
前記流入部の開口形状の重心位置が前記流出部の開口形状の重心位置に対して前記流出面内側に、前記長手方向にずれた位置である、散水板。
【請求項１５】
請求項７に記載の散水板であって、
前記流出面は、当該流出面の中心からの距離が異なる位置に複数の前記散水孔を有し、
前記流入部の前記長手方向の開口幅は前記流出面の中心からの距離に応じて変化するように構成された、散水板。
【請求項１６】
請求項１５に記載の散水板であって、
前記流入部の前記長手方向の開口幅は、前記散水板の中心からの距離が長くなるほど長くなるように構成された、散水板。
【請求項１７】
請求項１５に記載の散水板であって、
前記流入部の前記長手方向の開口幅は、前記散水板の中心からの距離が長くなるほど短くなるように構成された、散水板。
【請求項１８】
請求項１から請求項６までのいずれか１項に記載の散水板であって、
前記散水板の外形は楕円形状に形成される、散水板。
【請求項１９】
請求項１から請求項６までのいずれか１項に記載の散水板であって、
前記散水板の外形は四角形状に形成される、散水板。
【請求項２０】
請求項１から請求項６までのいずれか１項に記載の散水板であって、
前記散水板の外形は多角形状に形成される、散水板。
【請求項２１】
請求項１から請求項２０までのいずれか１項に記載の散水板であって、
前記散水板の材質がステンレスである、散水板。
【発明の詳細な説明】
【技術分野】
【０００１】
本開示は、散水板に関する。
【背景技術】
【０００２】
一般的にシャワーは、シャワーヘッドと、シャワーヘッドに水を供給するシャワーホースにより構成される。シャワーヘッドの先端には板状部材である散水板が取り付けられる。散水板の板状の面である流出面にはシャワーホースの径よりも細かい径の多数の散水孔が開口されている。そして、シャワーホースから供給される水が、流出面に開口された散水孔を通過することにより多数の径の細かいシャワー水となり、放出される。
【０００３】
特許文献１には、流出面の表面に散水孔を開口させた後に、流出面の表面が、中心から遠くなる向きに向かって凹形状又は凸形状となるようにプレス加工により傾斜させる技術が記載されている。これにより、傾斜した開口部分を通過するシャワー水が放出される方向は、流出面の中心に対して狭める方向又は広げる方向となる。
【先行技術文献】
【特許文献】
【０００４】
【特許文献１】特開２０１５−０６６００６号公報
【発明の概要】
【発明が解決しようとする課題】
【０００５】
しかしながら、このような方法によると、シャワー水が放出される方向を調整するには、散水板には傾斜が必要となり、散水板に傾斜を形成するには、プレス加工の工程を経る必要がある。
【０００６】
本開示は、プレス加工により形成された傾斜を必要とすることなく、シャワー水が放出される方向を調整する技術を提供する。
【課題を解決するための手段】
【０００７】
本開示の一態様は、液体が流れる流路に設けられる板状の散水板（１０）であって、散水板は、流入面（２１）と、流出面（２２）と、散水孔（３０，５０，６０，７０，８０）と、を有する。流入面は液体が流入する面である。流出面は、液体を流出させる面である。散水孔は流出面から流入面へと貫通するように開口される。散水孔は、流入部（３１，５１，６１，７１，８１）と、流出部（３２，５２，６２，７２，８２）とを有し、流入部は、流入面側の開口部である。流出部は、流出面側の開口部である。流入部の開口面積は、流出部の開口面積よりも大きく形成され、流入部の開口形状は、流入部に外接する仮想的な矩形形状を構成し、互いに隣接する辺の長さがそれぞれ異なる不均一形状を有し、流入部の重心位置と、流出部の重心位置とが、散水板に対して異なる位置となる。
【０００８】
このような構成によれば、プレス加工により形成された傾斜を必要とすることなく、シャワー水が放出される方向を調整することができる。
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【０００９】
【図１】流入面側から見た散水板の構成を表す図である。
【図２】散水孔の開口形状を表した図である。
【図３】流入部の開口形状を表した図である。
【図４】散水孔の断面形状を表した図である。
【図５】散水孔を通り、流出するシャワー水の流れを表した図である。
【図６】形成幅と、シャワー開き寸法との関係を表した図である。
【図７】変形例における流入部の開口形状を表した図である。
【図８】変形例における流入部の開口形状を表した図である。
【図９】変形例における散水孔の開口形状ごとの散水板上の配置の断面図である。
【図１０】変形例における流出するシャワー水の方向を表した図である。
【図１１】変形例における散水孔の開口形状ごとの散水板上の配置の断面図である。
【図１２】変形例における流出するシャワー水の方向を表した図である。
【図１３】変形例における散水孔の配置及び向きを表した図である。
【図１４】変形例における散水孔の配置を表した図である。
【図１５】変形例における流入部の開口形状を表した図である。
【図１６】変形例における散水孔の断面形状を表した図である。
【図１７】変形例における散水孔の断面形状を表した図である。
【発明を実施するための形態】
【００１０】
以下、図面を参照しながら、本開示の実施形態を説明する。
［１．構成］
図１に示す散水板１０は、材質はステンレス製で、外形が円形平面状の板であり、シャワーヘッドの先端に取り付けられる。シャワーヘッドは、シャワーホースから供給される湯水などの液体を、散水板１０を通して放出する。なお、散水板１０の形状は円形平面状に限られず、楕円形状又は四角形状などの多角形状といった種々の平面形状であってもよい。また、以下では、シャワーヘッドから供給される湯水などの液体をシャワー水ともいう。
【００１１】
散水板１０においてシャワーヘッドに取り付けられた際に、シャワーヘッドの流路を通り、シャワー水が流入する面を流入面２１とし、流入面２１に対して裏側にあたるシャワー水が流出する面を流出面２２とする。
【００１２】
散水板１０には、流入面２１から流出面２２まで厚さ方向に貫通するように複数の散水孔３０が開口される。ここで散水孔３０はエッチングにより開口される。
以下では散水板１０が有する円形形状の中心を散水板中心ともいい、散水板中心に近い側を散水板１０の内側、散水板中心から遠い側を散水板１０の外側ともいう。同様に、流入面２１、流出面２２において、それぞれ散水板中心に相当する位置を流入面中心、流出面中心ともいう。そして、流入面２１において流入面中心に近い側を流入面内側、流入面２１において流入面中心から遠い側を流入面外側ともいい、同様に、流出面２２において流出面中心に近い側を流出面内側、流出面２２において流出面中心から遠い側を流出面外側ともいう。本実施形態では、散水板中心、流入面中心及び流出面中心の位置は一致してもよい。
【００１３】
複数の散水孔３０の位置は、散水板中心を中心とする同心円状に互いに半径の異なる複数の仮想円３３を設定した際に、当該複数の仮想円３３の円周に沿った位置となるように配置される。なお、散水孔３０の位置とは、例えば散水孔３０を構成する後述する第一中心３１ｄ及び第二中心３２ａの位置をいう。また、散水板１０の内側の仮想円３３とその外側に隣接する仮想円３３はあらかじめ決められた間隔に配置される。ここで、あらかじめ決められた間隔とは、それぞれの散水孔３０の開口部分がそれぞれ互いに重ならないような適度な間隔である。また、あらかじめ決められた間隔は等間隔であってもよい。
【００１４】
また、散水孔３０の位置は、散水板１０を中心として放射状に配置されてもよい。
また、同一の仮想円３３上の散水孔３０の配置間隔もあらかじめ決められた間隔に配置される。ここで、あらかじめ決められた間隔とは、上記の隣接する仮想円３３同士の間隔と同様、それぞれの散水孔３０の開口部分がそれぞれ互いに重ならないような適度な間隔である。また、あらかじめ決められた間隔は等間隔であってもよい。
【００１５】
ここで、隣接する仮想円３３同士の間隔と、同一仮想円３３上の散水孔３０の配置間隔は、同一であっても、異なっていてもよい。
また、各散水孔３０の開口形状について、流入面２１に対して直交する向きに、流入部３１側から見た図である図２を用いて説明する。
【００１６】
流入部３１と流出部３２とは異なる形状を有し、流入部３１は流出部３２よりも開口面積が大きくなるように形成される。
流出部３２は例えば、円形形状に開口される。以下、流出部３２の円形形状の中心位置を第二中心３２ａとする。すなわち、流出部３２の開口形状の重心位置は第二中心３２ａの位置と一致する。
【００１７】
流入部３１は、図３に示すように、三角形状の部分である三角部分３１ａと、弓形状の部分である弓形部分３１ｂとにより構成される。
弓形部分３１ｂの弓形状は、基準円３１ｆに含まれる基準弦と基準弧とに囲まれる部分の形状である。
【００１８】
基準円３１ｆは、第一中心３１ｄを中心とする、半径が流出部３２の開口部の半径以上の大きさの円である。ここで、基準円の半径を以下では基準半径ともいう。
基準弦は、基準円３１ｆの円周上の２点を第一基準点３１ｆａ、第二基準点３１ｆｂとして、第一基準点３１ｆａ及び第二基準点３１ｆｂを結ぶ線分である。
【００１９】
基準弧は、第一基準点３１ｆａ及び第二基準点３１ｆｂを両端とする円周を表す曲線で、弧の中心角が１８０°以上となる弧をいう。
流入部３１の形状は、弓形部分３１ｂの基準弦の部分と三角部分３１ａの一辺とが当接した形状である。以下では、三角部分３１ａにおいて、弓形部分３１ｂの直線部分と当接する一辺を底辺ともいう。第一中心３１ｄの位置から端点３１ｃまでの長さを以下では形成幅Ｄ１といい、形成幅Ｄ１は、弓形状の円弧部分の半径よりも長く形成される。また、三角部分３１ａの形状は、端点３１ｃが丸まった形状であってもよい。
【００２０】
流入部３１の形状は、第一基準点３１ｆａ及び第二基準点３１ｆｂの近傍において、基準円３１ｆの接線方向と三角部分３１ａの底辺以外の辺の方向が一致するように形成される。第一基準点３１ｆａ及び第二基準点３１ｆｂの近傍とは、第一基準点３１ｆａ及び第二基準点３１ｆｂの接線方向が導出できる範囲をいう。
【００２１】
なお、第一中心３１ｄと第二中心３２ａとは、散水板１０の断面に直交する同一直線上に位置し、基準円３１ｆと、流出部３２の円形形状は同心円状に位置する。流入部３１の重心は、第一中心３１ｄよりも端点３１ｃ寄りに位置する。
【００２２】
また、流入部３１の形状に外接する仮想的な矩形形状３１ｅにおいて、長い方の辺を長辺Ｄ２、短い方の辺を短辺Ｄ３ともいう。ここで、互いに隣接する辺である、長辺Ｄ２及び短辺Ｄ３の長さはそれぞれ異なるように、流入部３１は形成される。すなわち、流入部３１の開口幅がより長い方の長さが長辺Ｄ２の長さに対応し、流入部３１の開口幅がより短い方の長さが短辺Ｄ３の長さに対応する。以下、長辺Ｄ２に沿った方向を長手方向ともいい、短辺Ｄ３に沿った方向を短手方向ともいう。
【００２３】
散水板１０上に形成される散水孔３０それぞれの形状は同一である。流入部３１は、長手方向が第一中心３１ｄと散水板中心とを結んだ直線を通るような方向、かつ、三角部分３１ａが弓形部分３１ｂに対して、散水板１０の内側に位置するように形成される。
【００２４】
すなわち、長手方向が、散水板中心を向くように構成される。
次に散水孔３０の第一中心３１ｄを通る長手方向に沿った断面の形状について、図４を用いて説明する。
【００２５】
散水孔３０の断面形状は、流入部３１から流出部３２に向かって開口部が狭まる曲面形状である。ここで、流入部３１の弓形部分３１ｂと流出部３２とは、断面に直交する向きに対して同心円状に形成されるが、流入部３１の形状は三角部分３１ａが存在するため、第一中心３１ｄを中心とする円よりも三角部分３１ａが存在する方向に開口部が広がって形成される。すなわち、流入部３１の形状の重心の位置は、第一中心３１ｄよりも三角部分３１ａが存在する方向にずれる。
【００２６】
このため、流入部３１の開口形状の重心の位置と、流出部３２の開口形状の重心の位置とは、散水板１０の面に直交する方向から見て異なる位置となる。
［２．作用］
図５の散水孔３０の長手方向に沿った断面の形状を表した断面図を用いて、散水孔３０を通過するシャワー水の流れについて説明する。
【００２７】
散水孔３０を通過するシャワー水は、流入部３１から流入し、流出部３２から流出する。
ここで、流入部３１から流入するシャワー水は、三角部分３１ａから流入するシャワー水の流れである第一流方向４１ａと、弓形部分３１ｂから流入するシャワー水の流れである第二流方向４１ｂとの合成された方向である第三流方向４２ｃに流出部３２から流出する。
【００２８】
仮に、流入部３１が図３に示す基準円３１ｆの形状に開口していた場合、流入部３１の開口形状は第一中心３１ｄを中心とする均一な形状に開口されており、第一中心３１ｄと第二中心３２ａとは断面に対して直交する方向から見て同一直線上にあるため、シャワー水は、流出部３２に対して直交する方向に流出する。
【００２９】
しかし、本実施形態では、三角部分３１ａから流入するシャワー水の強さにより、弓形部分３１ｂから流入する水が三角部分３１ａから反対方向に向かって押されるため、三角部分３１ａが配置された方向と反対方向に向かってシャワー水が流出する。
【００３０】
すなわち、三角部分３１ａ及び弓形部分３１ｂにより、流入部３１の開口形状の重心位置が流出部３２の開口形状の重心位置と異なり、かつ、流入部３１が長手方向と短手方向を有する不均一な形状に形成されることにより、第三流方向４２ｃは、流入部３１の長手方向であって、第一中心３１ｄに対して三角部分３１ａが配置された方向と反対方向に向かってシャワー水が流出する。
【００３１】
ここで、三角部分３１ａは弓形部分３１ｂに対して、散水板１０の内側に位置するように形成されるため、散水板１０の外側に向かって、シャワー水が流出する。
［３．効果］
本実施形態によれば、散水孔３０の傾斜した開口形状により、流入部３１から流出部３２に向かうシャワー水が流れる方向が制御される。ここで、散水孔３０の開口形状は、エッチングにより調整することができる。そのため、傾斜をプレス加工により形成する必要が無い。
【００３２】
具体的には、図６に示すように、流出部３２の開口形状を直径０．４ｍｍに形成し、形成幅Ｄ１を０．６ｍｍから１．０ｍｍまで変化させ、シャワー開き寸法を測定したところ、シャワー開き寸法が増加する傾向が見られた。ここでいうシャワー開き寸法とは、測定面において、ある特定の散水孔３０から流出面２２の法線方向に伸ばした点と、当該特定の散水孔３０から流出したシャワー水の当たった領域の中心点との距離をいう。ここでいう、測定面は、流出面２２に対してシャワー水が流出する方向に対して５０ｃｍ離れた、流出面２２と平行な面をいう。
【００３３】
［４．他の実施形態］
以上、本開示の実施形態について説明したが、本開示は上述の実施形態に限定されることなく、種々変形して実施することができる。
【００３４】
（１）上記実施形態では、流入部３１の形状は、弓形部分３１ｂの円弧部分と三角部分３１ａの底辺以外の辺とが接する点において、弓形部分３１ｂの円弧部分の接線方向と三角部分３１ａの底辺以外の辺の方向が一致するように形成されるものに限定されるものではない。例えば、図７に示すように、流入部３１の形状は、弓形部分３１ｂの円弧部分と三角部分３１ａの底辺以外の辺とが接する点において、弓形部分３１ｂの円弧部分の接線方向と三角部分３１ａの底辺以外の辺の方向が一致しなくてもよい。
【００３５】
（２）また、流入部３１の形状は弓形状及び当該弓形状の直線部分と三角形状の一辺とが当接するような形状に限定されるものではなく、外接する仮想の矩形形状の長辺と短辺の長さが異なる不均一形状に形成されてもよい。例えば、楕円形状や長方形状などの形状に形成されてもよい。
【００３６】
（３）上記実施形態では、流入部３１は、長手方向が第一中心３１ｄと散水板中心とを結んだ直線を通るような方向、かつ、三角部分３１ａが弓形部分３１ｂに対して、散水板１０の内側に位置するように形成される。しかし、流入部３１の形状は、三角部分３１ａが弓形部分３１ｂに対して、散水板１０の内側に位置するように形成されるものに限定されない。例えば、流入部３１は、三角部分３１ａが弓形部分３１ｂに対して、散水板１０の外側に位置するように形成されてもよい。このような場合、流出するシャワー水は、第一中心３１ｄに対して三角部分３１ａが配置された方向と反対方向に向かってシャワー水が流出するため、散水板中心に向かって狭まる方向に向かってシャワー水が流出する。
【００３７】
（４）また、散水板１０上に形成される各散水孔３０の流入部３１の形成幅Ｄ１は均一であるとしたが、形成幅Ｄ１は均一な長さに限定されるものではない。例えば、図８に示すように、形成幅Ｄ１が最も短いＤ１ａから最も長いＤ１ｇまで、それぞれ異なっていてもよい。また、Ｄ１ａからＤ１ｇまで順に等間隔に長さが伸びてもよい。
【００３８】
さらに、同心円である仮想円３３上に配置される散水孔３０の形成幅Ｄ１が、最も流入面内側の仮想円３３に配置される散水孔３０から順に流入面外側に向かって、Ｄ１ｇからＤ１ａへと、より短くなるように配置されてもよい。
【００３９】
また、反対にＤ１ａからＤ１ｇへと、内側から順に外側に向かってより長くなるように配置されてもよい。図９の断面図に示すように三角部分３１ａが弓形部分３１ｂより流入面内側に形成され、Ｄ１ａからＤ１ｇへと、流入面内側から順に流入面外側に向かってより長くなるように配置されてもよい。このように配置すれば、図１０に示すように、散水板１０から流出する水を拡散させることができる。
【００４０】
さらに、図１１の断面図に示すように三角部分３１ａが弓形部分３１ｂに対して流入面外側に形成され、Ｄ１ａからＤ１ｇへと、流入面内側から順に流入面外側に向かってより長くなるように配置されてもよい。このように配置すれば、図１２に示すように、散水板１０から流出する水を集中させることができる。
【００４１】
（５）上記実施形態では、流入部３１は、長手方向が第一中心３１ｄと散水板中心とを結んだ直線を通るような方向、かつ、三角部分３１ａが弓形部分３１ｂに対して、散水板１０の内側に位置するように形成される。しかし、流入部３１の形状は、長手方向が第一中心３１ｄと散水板中心とを結んだ直線を通るような方向となるように形成されるものに限定されるものではない。例えば、図１３に示すように流入部３１は、流入部３１の長手方向が各流入部３１を通る仮想円３３の接線方向に沿った方向になるように形成されてもよい。
【００４２】
また、流入部３１は、流入部３１の長手方向が各流入部３１を通る仮想円３３の接線方向に対してあらかじめ決められたずれ角度だけずれた方向になるように形成されてもよい。
さらに、ずれ角度は、散水板１０中に設定される仮想円３３ごとに異なる角度が設定されてもよく、例えば、散水板中心に近い流入部３１ほどずれ角度が大きくなるように設定されてもよく、反対に、散水板中心に近い流入部３１ほどずれ角度が小さくなるように設定されてもよい。また、流入部３１の長手方向は、任意の方向に形成されてもよい。シャワー水は長手方向に沿った方向に流出する。
【００４３】
（６）上記実施形態では、複数の散水孔３０は、散水板中心を中心とする同心円状に複数の半径の異なる仮想円３３を設定した際に、当該複数の仮想円３３の円周に沿った位置に配置されるとしたが、複数の散水孔の配置はこれに限定されるものではない。例えば、図１４に示すように散水孔が四角形に並ぶように配置されていても良い。
【００４４】
（７）上記実施形態では、散水板１０は平面状の板であるとしたが、散水板１０の形状は平面状に限定されるものではない。例えば、散水板１０の流出面が、中心から遠くなる向きに向かって凹形状又は凸形状となる曲面を有していてもよい。これにより、流出面が平面状である場合に比べて、水をより広がる方向又はより狭まる方向に流出させることができる。
【００４５】
ステンレス板の曲面形状は、プレス加工により形成されてもよい。一般にプレス加工は、数回のプレス工程を経て、板状の部材の凹形状及び凸形状が目標の傾斜角度となるように行われる。ここでいう目標の傾斜角度とは、散水板１０を通った水があらかじめ決められた方向に流出するような角度である。形状が上述した実施形態で示した開口形状により、水が流出する方向に角度がついているため、目標の傾斜角度にするためのプレス工程の回数を少なくすることができる。
【００４６】
（８）上記実施形態では、流入部３１の形状は三角部分３１ａの端点３１ｃが丸くなった形状であってもよいとしたが、三角部分３１ａの端点３１ｃの形状は丸くなった形状に限定されるものではない。例えば、図１５に示すように三角部分６１ａの端点６１ｃが尖った形状であってもよい。
【００４７】
（９）上記実施形態では、散水孔３０の断面形状は、断面形状が流入部３１から流出部３２に向かって開口部が狭まる曲面形状であるとしたが、散水孔の断面形状は曲面形状に限定させるものではない。例えば、図１６に示す散水孔７０のように、流入部７１から流出部７２に向かって線形テーパ状に開口されてもよい。
【００４８】
（１０）また、図１７に示す散水孔８０のように、三角部分８１ａの断面形状が流入部８１から流出部８２に向かって狭まるような段差形状を有する形状でもよい。当該段差形状は、ハーフエッチングにより形成されてもよい。
【００４９】
（１１）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００５０】
１０…散水板、２１…流入面、２２…流出面、３０，５０，６０，７０，８０…散水孔、３１，５１，６１，７１，８１…流入部、３１ａ…三角部分、３１ｂ…弓形部分、３１ｃ，６１ｃ…端点、３１ｄ…第一中心、３１ｅ…矩形形状、３２，７２，８２…流出部、３２ａ…第二中心、３３…仮想円、Ｄ２…長辺、Ｄ３…短辺。
【図１】
2019093362.tif 000003
【図２】
2019093362.tif 000004
【図３】
2019093362.tif 000005
【図４】
2019093362.tif 000006
【図５】
2019093362.tif 000007
【図６】
2019093362.tif 000008
【図７】
2019093362.tif 000009
【図８】
2019093362.tif 000010
【図９】
2019093362.tif 000011
【図１０】
2019093362.tif 000012
【図１１】
2019093362.tif 000013
【図１２】
2019093362.tif 000014
【図１３】
2019093362.tif 000015
【図１４】
2019093362.tif 000016
【図１５】
2019093362.tif 000017
【図１６】
2019093362.tif 000018
【図１７】
2019093362.tif 000019
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
液体が流れる流路に設けられる板状の散水板（１０）であって、
前記散水板は、
前記液体が流入する面である流入面（２１）と、
前記液体を流出させる面である流出面（２２）と、
前記流出面から前記流入面へと貫通するように開口された散水孔（３０，５０，６０，７０，８０）と、
を有し、
前記散水孔は、
前記流入面側の開口部である流入部（３１，５１，６１，７１，８１）と、
前記流出面側の円形形状の開口部である流出部（３２，５２，６２，７２，８２）と、
を有し、
前記流入部の開口面積は、前記流出部の開口面積よりも大きく形成され、
前記流入部の開口形状は、互いに隣接する辺の長さがそれぞれ異なる仮想的な矩形形状に内接する不均一形状を有し、
前記不均一形状は、弓形状（３１ｂ）及び当該弓形状の直線部分と三角形状（３１ａ）の一辺とが当接するような形状に形成され、
前記流入部の重心位置と、前記流出部の重心位置とが、前記散水板に対して異なる位置となり、
前記流入部が有する前記弓形状の円弧と、前記流出部の開口の前記円形形状は同心円状に形成される、
散水板。
【請求項２】
請求項１に記載の散水板であって、
前記流入部及び前記流出部の開口は、前記散水板の両側からエッチングにより形成された開口である、散水板。
【請求項３】
請求項１又は請求項２に記載の散水板であって、
前記流出面は平面形状を有する、散水板。
【請求項４】
請求項１又は請求項２に記載の散水板であって、
前記流出面は曲面形状を有する、散水板。
【請求項５】
請求項１から請求項４までのいずれか１項に記載の散水板であって、
前記散水板の外形は円形形状に形成される、散水板。
【請求項６】
請求項５に記載の散水板であって、
前記流入部の前記不均一形状は、
当該不均一形状の開口幅が最も広くなっている方向を長手方向として、
前記散水板の中心を散水板中心として、
前記長手方向は、前記散水板中心を向くように構成された、散水板。
【請求項７】
請求項５に記載の散水板であって、
前記流入部の前記不均一形状は、
当該不均一形状の開口幅が最も広くなっている方向を長手方向として、
前記散水板の中心を散水板中心として、
前記散水板中心を中心とする同心円状に複数の互いに半径の異なる仮想円を設定し、
前記長手方向は、前記仮想円の接線方向に沿った方向を向くように構成された、散水板。
【請求項８】
請求項５に記載の散水板であって、
前記流入部の前記不均一形状は、
当該不均一形状の開口幅が最も広くなっている方向を長手方向として、
前記散水板の中心を散水板中心として、
前記散水板中心を中心とする同心円状に複数の互いに半径の異なる仮想円を設定し、
前記長手方向は、前記仮想円の接線方向に対して、あらかじめ決められた角度であるずれ角度だけずれた方向を向くように構成された、散水板。
【請求項９】
請求項８に記載の散水板であって、
前記ずれ角度は、前記散水板中心に近いほど大きくなるように構成された、散水板。
【請求項１０】
請求項８に記載の散水板であって、
前記ずれ角度は、前記散水板中心に近いほど小さくなるように構成された、散水板。
【請求項１１】
請求項６に記載の散水板であって、
前記流出面の中心から遠い側を流出面外側として、
前記流入部の開口形状の重心位置が前記流出部の開口形状の重心位置に対して前記流出面外側に、前記長手方向にずれた位置である、散水板。
【請求項１２】
請求項６に記載の散水板であって、
前記流出面の中心に近い側を流出面内側として、
前記流入部の開口形状の重心位置が前記流出部の開口形状の重心位置に対して前記流出面内側に、前記長手方向にずれた位置である、散水板。
【請求項１３】
請求項６に記載の散水板であって、
前記流出面は、当該流出面の中心からの距離が異なる位置に複数の前記散水孔を有し、
前記流入部の前記長手方向の開口幅は前記流出面の中心からの距離に応じて変化するように構成された、散水板。
【請求項１４】
請求項１３に記載の散水板であって、
前記流入部の前記長手方向の開口幅は、前記散水板の中心からの距離が長くなるほど長くなるように構成された、散水板。
【請求項１５】
請求項１３に記載の散水板であって、
前記流入部の前記長手方向の開口幅は、前記散水板の中心からの距離が長くなるほど短くなるように構成された、散水板。
【請求項１６】
請求項１から請求項４までのいずれか１項に記載の散水板であって、
前記散水板の外形は楕円形状に形成される、散水板。
【請求項１７】
請求項１から請求項４までのいずれか１項に記載の散水板であって、
前記散水板の外形は四角形状に形成される、散水板。
【請求項１８】
請求項１から請求項４までのいずれか１項に記載の散水板であって、
前記散水板の外形は多角形状に形成される、散水板。
【請求項１９】
請求項１から請求項１８までのいずれか１項に記載の散水板であって、
前記散水板の材質がステンレスである、散水板。